(57)【要約】【課題】  エレベータかごの位置検出装置の複数の位置検出体と被検出体の相互の取り付け位置関係、隙間寸法の調整を精度よくより少ない労力と時間にて行えるようなエレベータの位置検出装置を得る。【解決手段】  エレベータかご側に取り付けられた位置検出体3と、位置検出体3に対向してエレベータの昇降路側の所定位置に固定された被検出体8と、かご側に取り外し可能な状態で備え付けられ、位置検出体の位置調整を行う位置検出体用調整治具とを備え、この位置検出体用調整治具は位置検出体の仮固定の状態で、位置検出体の横方向の位置を調整する調整機構と、位置検出体の奥行き方向の位置を調整する調整機構とを有する。【選択図】  図1
2006321614.tif 000002
【特許請求の範囲】
【請求項１】
エレベータのかご側に取り付けられた位置検出体と、
前記位置検出体に対向してエレベータの昇降路側の所定位置に固定された被検出体と、
前記かご側に取り外し可能な状態で備え付けられ、前記位置検出体の位置調整を行う位置検出体用調整治具とを備え、
前記位置検出体用調整治具は、前記位置検出体の仮固定状態で、位置検出体の横方向の位置を調整する調整機構と、位置検出体の奥行き方向の位置を調整する調整機構とを有することを特徴とするエレベータの位置検出装置。
【請求項２】
位置検出体の横方向の位置を調整する機構は、位置検出体を横方向に摺動する摺動機構及びその摺動量を調整する摺動量調整機構から構成されていることを特徴とする請求項１記載のエレベータの位置検出装置。
【請求項３】
エレベータのかご側に固定された位置検出体と、
前記位置検出体に対向してエレベータの昇降路側の所定位置に取り付けられた被検出体と、
前記昇降路側に取り外し可能な状態で備え付けられ、前記被検出体の位置調整を行う被検出体用調整治具とを備え、
前記被検出体用調整治具は、前記被検出体の仮固定状態で、被検出体を上下方向の位置を調整する調整機構と、被検出体を横方向の位置を調整する調整機構と、被検出体の奥行き方向の位置を調整する調整機構とを有することを特徴とするエレベータの位置検出装置。
【請求項４】
被検出体の上下方向並びに横方向の位置を調整する機構は、被検出体をそれぞれ上下方向並びに横方向に摺動する摺動機構及びその摺動量をそれぞれ調整する摺動量調整機構から構成されていることを特徴とする請求項３記載のエレベータの位置検出装置。
【請求項５】
エレベータのかご側に取り付けられた位置検出体と、
前記位置検出体に対向してエレベータの昇降路側の所定位置に取り付けられた被検出体と、
前記かご側に取り外し可能な状態で備え付けられ、前記位置検出体の位置調整を行う位置検出体用調整治具と、
前記昇降路側に取り外し可能な状態で備え付けられ、前記被検出体の位置調整を行う被検出体用調整治具とを備え、
前記位置検出体用調整治具は、前記位置検出体の仮固定状態で、位置検出体の横方向の位置を調整する調整機構と、位置検出体の奥行き方向の位置を調整する調整機構とを有し、
前記被検出体用調整治具は、前記被検出体の仮固定状態で、被検出体の上下方向の位置を調整する調整機構と、被検出体の横方向の位置を調整する調整機構と、被検出体の奥行き方向の位置を調整する調整機構とを有することを特徴とするエレベータの位置検出装置。
【請求項６】
位置検出体の横方向の位置を調整する機構は、位置検出体を横方向に摺動する摺動機構及びその摺動量を調整する摺動量調整機構から構成され、
被検出体の上下方向並びに横方向の位置を調整する機構は、被検出体をそれぞれ上下方向並びに横方向に摺動する摺動機構及びその摺動量をそれぞれ調整する摺動量調整機構から構成されていることを特徴とする請求項５記載のエレベータの位置検出装置。
【請求項７】
エレベータのかご側に取り付けられた位置検出体と、
前記位置検出体に対向してエレベータの昇降路側の所定位置に固定された被検出体と、
前記かご側に取り外し可能な状態で備え付けられ、前記位置検出体の位置調整を行う位置検出体用調整治具とを備えたエレベータ用位置検出装置において、
前記位置検出体を仮固定状態に取り付けるステップと、
前記位置検出体を横方向に摺動してその摺動量を調整しながら位置検出体の横方向の位置決めを行うステップと、
前記位置検出体を奥行き方向に移動させて位置検出体の奥行き方向の位置決めを行うステップと、
位置決め後の前記位置検出体を本固定するステップとを備えたことを特徴とするエレベータ用位置検出装置の取り付け方法。
【請求項８】
エレベータのかご側に固定された位置検出体と、
前記位置検出体に対向してエレベータの昇降路側の所定位置に取り付けられた被検出体と、
前記昇降路側に取り外し可能な状態で備え付けられ、前記被検出体の位置調整を行う被検出体用調整治具とを備えたエレベータ用位置検出装置において、
前記被検出体を仮固定状態に取り付けるステップと、
前記被検出体を上下方向に摺動してその摺動量を調整しながら被検出体の上下方向の位置決めを行うステップと、
前記被検出体を横方向に摺動してその摺動量を調整しながら被検出体の横方向の位置決めを行うステップと、
前記被検出体を奥行き方向に移動させて被検出体の奥行き方向の位置決めを行うステップと、
位置決め後の前記被検出体を本固定するステップと、を備えたことを特徴とするエレベータ用位置検出装置の取り付け方法。
【請求項９】
エレベータのかご側に取り付けられた位置検出体と、
前記位置検出体に対向してエレベータの昇降路側の所定位置に取り付けられた被検出体と、
前記かご側に取り外し可能な状態に備え付けられ、前記位置検出体の位置調整を行う位置検出体用調整治具と、
前記昇降路側に仮固定され、前記被検出体の位置調整を行う被検出体用調整治具とを備えたエレベータ用位置検出装置において、
前記位置検出体を仮固定状態に取り付けるステップと、
前記位置検出体を横方向に摺動してその摺動量を調整しながら位置検出体の横方向の位置決めを行うステップと、
前記位置検出体を奥行き方向に移動させて位置検出体の奥行き方向の位置決めを行うステップと、
位置決め後の前記位置検出体を本固定するステップと、
前記被検出体を仮固定状態に取り付けるステップと、
前記被検出体を上下方向に摺動してその摺動量を調整しながら被検出体の上下方向の位置決めを行うステップと、
前記被検出体を横方向に摺動してその摺動量を調整しながら被検出体の横方向の位置決めを行うステップと、
前記被検出体を奥行き方向に移動させて被検出体の奥行き方向の位置決めを行うステップと、
位置決め後の前記被検出体を本固定するステップと、を備えたことを特徴とするエレベータ用位置検出装置の取り付け方法。
【発明の詳細な説明】
【技術分野】
【０００１】
この発明は、エレベータかごに取り付けられる位置検出体、及び昇降路の各階に取り付けられる被検出体から成るエレベータの位置検出装置に関するものである。
【背景技術】
【０００２】
従来のエレベータの位置検出装置の位置検出体、被検出体の取り付けについて説明する。
複数の位置検出体は上下に移動するエレベータかご枠に、エレベータ昇降路に向かって取り付けられ、複数の被検出体は昇降路に固定された固定腕に位置検出体に対向して各階に取り付けられる。
位置検出体の被検出体と対向する面には上下方向の凹状の溝があり、各階でその溝に被検出体が入り込み、またその時位置検出体と被検出体は電気的結合を行い、エレベータかごの位置検出が行われ、速度制御、運転操作などが円滑に行えるようになる(例えば特許文献1参照)。
【０００３】
【特許文献１】特開平5-301688号公報
【発明の開示】
【発明が解決しようとする課題】
【０００４】
従来のエレベータの位置検出装置の取り付けでは、被検出体は工場で組立てると出荷時の荷姿が大きくなり輸送が困難になる関係で、エレベータ据付時に現場で取り付けられる。ここで複数の被検出体はエレベータ昇降路に垂直、且つ互いに平行に、また位置検出体の凹部内側に非接触の状態で入り込めるような位置に取り付けをしなければならない。取り付け位置に正確さを欠くと、位置検出体、非検出体が互いに干渉して破損する可能性がある。しかしエレベータ据付現場では、作業空間の制約等の諸条件により、複数の被検出体を同一位置に精度よく取り付ける事は困難で、多大な時間と労力が費やされるという問題があった。
【０００５】
この発明は上記のような問題点を解消させるためになされたもので、位置検出装置の複数の位置検出体と被検出体相互の取り付け位置を容易に合致させるとともに、相互の隙間寸法の調整まで、精度良くより少ない労力と時間にて行えるようなエレベータの位置検出装置を得ることを目的とする。
【課題を解決するための手段】
【０００６】
この発明に係るエレベータの位置検出装置においては、エレベータのかご側に取り付けられた位置検出体と、位置検出体に対向してエレベータの昇降路側の所定位置に固定された被検出体と、かご側に取り外し可能な状態で備え付けられ、位置検出体の位置調整を行う位置検出体用調整治具とを備え、この位置検出体用調整治具は、位置検出体の仮固定状態で、位置検出体の横方向の位置を調整する調整機構と、位置検出体の奥行き方向の位置を調整する調整機構とを有するものである。
【０００７】
また、昇降路側に取り外し可能な状態で備え付けられ、被検出体の位置調整を行う被検出体用調整治具とを備え、被検出体用調整治具は、被検出体の仮固定状態で、被検出体を上下方向の位置を調整する調整機構と、被検出体を横方向の位置を調整する調整機構と、被検出体の奥行き方向の位置を調整する調整機構とを有するものである。
【０００８】
またこの発明に係る位置検出装置の取り付け方法においては、位置検出体を仮固定状態に取り付けるステップと、位置検出体を横方向に摺動してその摺動量を調整しながら位置検出体の横方向の位置決めを行うステップと、位置検出体を奥行き方向に移動させて位置検出体の奥行き方向の位置決めを行うステップと、位置決め後の位置検出体を本固定するステップとを備えたものである。
【０００９】
また、被検出体を仮固定状態に取り付けるステップと、被検出体を上下方向に摺動してその摺動量を調整しながら被検出体の上下方向の位置決めを行うステップと、被検出体を横方向に摺動してその摺動量を調整しながら被検出体の横方向の位置決めを行うステップと、被検出体を奥行き方向に移動させて被検出体の奥行き方向の位置決めを行うステップと、位置決め後の前記被検出体を本固定するステップとを備えたものである。
【発明の効果】
【００１０】
この発明におけるエレベータの位置検出装置では、位置検出体、及び被検出体の取り付け位置、及び傾きの調整がより容易にできるので、位置検出体と被検出体の隙間寸法を精度よく調整することができる。
【発明を実施するための最良の形態】
【００１１】
実施の形態１
図1はこの発明を実施するため、実施の形態１におけるエレベータの位置検出装置を示す平面図、図２は図１を矢視Ａ方向から見た側面図、図３は図１を矢視Ｂ方向から見た側面図である。
【００１２】
図1及び図2において、
6はエレベータのかご枠の上梁である。4は上梁6に中央部が固定され、両側に同方向に延在する長短の二辺を有する三辺から成るコ字型ブラケットである。5は二辺から成るＬ字型ブラケットで、Ｌ字の一辺が取り付ネジ4aによりコ字型ブラケット4の長辺に固定されており、Ｌ字の他辺に取り付けられた取り付けネジ5aにより位置検出体ケース2が固定されているものである。3は複数個の位置検出体で、位置検出体ケース2に固定され、昇降路壁に向けて取り付けられており、取り付けネジ4aを緩めることで横方向に、取り付けネジ５aを緩めることで奥行き方向に移動できるものである。
1は位置検出体用調整治具で、位置検出体3の位置を調整する為のものであり、主本体部1a、取り付け用の固定金具1b、固定金具の固定ネジ1c、上下二本のレール1d、上下二つの取り付け板1e、上下二本の調整ネジ1f、上下二個のL字型摺動金具1g、上下左右四箇所の調整ネジの通し穴1h、及び上下左右の四本の調整ネジ1iにより構成される。
固定金具1bは、調整治具の主本体部1aと連結しており、凹型の溝を有し、コ字型ブラケット4の短辺の先端を丁度良く挟み込むことができる形状であり、設けられた前記溝まで貫通するネジ穴に固定ネジ1cがネジ込まれ、連結した位置検出体用調整治具1をコ字型ブラケット4に取り外し可能に備え付けさせるものである。
上下二本のレール1dは、主体部1aの上下端に直角に連結して横方向に延在し、取付けられた摺動金具を横方向に摺動させるものである。
上下二枚の取り付け板1eは、上下二本のレール1dにそれぞれに直角に連結されている。
上下二個の調整ネジ1fは、上下二枚の取り付け板1eに設けられたネジ穴にそれぞれ横方向にネジ込まれたものである。
上下二個のＬ字型摺動金具1gは、長短二辺を有するL字型であり、L字の短辺は取り付け板1eと平行で、且つ2本の調整ネジ１fの先端部分とそれぞれ回転可能に遊嵌されており、L字の長辺は上下2本のレール1dに取り付けられており、調整ネジ1fの回転により横方向に摺動するものである。
上下左右四箇所の通し穴1hは、上下二本のレール1dに二箇所ずつ設けられており、形状は横方向に長く、且つ幅は調整ネジ1iの直径に対して十分大きいものである。
上下左右四本の調整ネジ1iは、上下二個のＬ字型摺動金具１gのＬ字の長辺それぞれに備わった二つのネジ穴に奥行き方向にネジ込まれており、通し穴1hを通り抜けており、先端が位置検出体ケース２に回転可能、且つ着脱可能に遊嵌したものである。
【００１３】
図１及び図３において、
９はエレベータ昇降路(図示せず)に固定された取り付け腕である。10は取り付け腕９にレールクリップ11とそれを固定するボルトナット12により固定され、且つエレベータ昇降路に垂直に固定されたガイドレールである。8及び8'は被検出体であり、上下方向に細長い形状であり、Ｌ字型の断面形状であり、L字の一辺は取り付け腕9に取り付けられるものであり、Ｌ字の他辺はそれぞれに対向する位置検出体３の凹部に入り込む様にエレベータかご方向に向いているものである。8aは、取り付け腕9に設けられたネジ穴に奥行き方向にネジ込まれた取り付けネジである。8ｂは被検出体8、及び8'のＬ字の一辺に設けられており、取り付けネジ8aの通し穴であり、形状は上下方向に長く、且つ幅は取り付けネジ8aの直径に対し十分に大いものであり、取り付けネジ8aが通り抜けており、取り付けネジ8aを締付けることにより被検出体8、及び8'の一辺を取り付け腕9に取り付けできるようにする為のものである。
ここで、取り付けネジ8aを緩めることにより、被検出体8、及び8'の位置を上下方向、及び横方向に調整できる。
7は被検出体の位置を調整する被検出体用調整治具であり、主本体部7a、取り付け用の固定金具7b、固定金具の固定ネジ7c、調整ネジ7d、摺動金具7e、上下二本のレール7f、上下左右四箇所の調整ネジの通し穴7g、上下二枚の取り付け板7h、上下二個のコ字型摺動金具7j、上下二個のL字型摺動金具7l、及び上下二個の調整ネジ7i、7k、7m、7n、で構成されるものである。
主本体部7aは、長短二辺を有するL字型の形状をしており、L字の長辺部分はレールで上下方向に延在し、取り付けられた摺動金具を上下方向に摺動させるものである。
固定金具7bは、調整治具の主本体部7aに連結されており、凹状の溝を有し、取り付け腕9を丁度良く挟み込むことができる形状であり、設けられた前記溝まで貫通するネジ穴に固定ネジ7cがネジ込まれ、連結された被検出体用調整治具7を取り付け腕9に取り外し可能に備え付けさせるものである。
調整ネジ７dは、主本体部7aの短辺に設けられたネジ穴に上下方向にネジ込まれたものである。
摺動金具7eは、上下方向に長い形状であり、下端を調整ネジ7dの先端と回転可能に遊嵌されており、主本体部7aの長辺に設けられたレールに取り付けられており、調整ネジ7dの回転により上下方向に摺動するものである。
上下二本のレール7fは、摺動金具7eの上下端に直角に連結して横方向に延在し、取り付けられた摺動金具を横方向に摺動させるものである。
上下左右四箇所の通し穴7gは、上下二本のレール7fに二箇所ずつ設けられており、形状は横方向に長く、幅は調整ネジ7m、及び7nの直径に対して十分大きいものである。
上下二枚の取り付け板7hは、上下二本のレール7fにそれぞれ直角に奥行き方向に向けて連結されたものである。
上下二本の調整ネジ7iは上下二個の取り付け板7hに設けられたネジ穴にそれぞれ横方向にネジ込まれたものである。
上下二個のコ字型摺動金具7jは、三辺を有するコ字型の形状であり、コ字の底辺は上下二本のレール7fに取り付けられており、コ字の側辺二辺は取り付け板7hと平行であり、二辺のうち取り付け板7hに近い側の一辺は上下二つの調整ネジ7iの先端とそれぞれ回転可能に遊嵌されており、調整ネジ7iの回転により横方向に摺動するものである。
上下二本の調整ネジ7kは、上下二個のコ字型摺動金具7jのコ字の側辺二辺のうち取り付け板7hから遠い側の一辺に設けられたネジ穴にそれぞれ横方向にネジ込まれているものである。
上下二個のＬ字型摺動金具7lは、長短二辺を有するL字型であり、L字の短辺は取り付け板7hと平行で、且つ上下二本の調整ネジ7kの先端とそれぞれ回転可能に遊嵌しており、L字の長辺は上下二本のレール7fに取り付けられており、調整ネジ7i及び7kの回転により横方向に摺動するものである。
上下二本の調整ネジ7mは、通し穴7gを通り抜けており、上下二個のコ字型摺動金具7jのコ字の底辺に設けられたネジ穴にそれぞれ奥行き方向にネジ込まれており、先端が被検出体8のL字の短辺と回転可能、且つ着脱可能に遊嵌されるものである。
上下二本の調整ネジ7nは、通し穴7gを通り抜けており、上下二個のL字型摺動金具7lのL字の長辺に設けられたネジ穴にそれぞれ奥行き方向にネジ込まれており、先端が被検出体8'のＬ字の短辺と回転可能、且つ着脱可能に遊嵌されたものである。
【００１４】
このように構成されたエレベータの位置検出装置において、複数の位置検出体の位置を調整する動作、及び取り付け方法について説明する。
固定金具1b、及び固定ネジ1cにより位置検出体用調整治具１をコ字型ブラケット4に備え付け、同時に位置検出体ケース2の上下左右四箇所それぞれに上下左右四本の調整ネジ1iの先端を取り付ける。また取り付けネジ4a、5aを緩めて位置検出体ケースを仮固定の状態とし、位置検出体用調整治具１のみで位置検出体ケース２を支持する。
ここで上下左右四箇所の調整ネジ1iを回転させ、奥行き方向への移動をさせることによって、従属して位置検出体ケース2が奥行き方向に移動し、位置検出体3の奥行き方向の位置調整をすることができる。また四箇所の調整ネジ1iをそれぞれ調整することにより傾きについても自在に調整することができる。
また上下二個所調整ネジ1fを回転させ、横方向への移動をさせることによって、従属して上下二個の摺動金具1g、上下左右四本の調整ネジ1i、及び位置検出体ケース2が横方向に移動し、位置検出体3は横方向の位置調整をすることができる。また上下二個所の調整ネジ1fをそれぞれ調整することにより、横方向の傾きについても自在に調整をすることができる。
以上の動作により複数の位置検出体3の位置決を行い、終了後取り付けネジ4a、5aを締付け、位置検出体ケース2を本固定し位置調整を完了する。
また上下左右四本の調整ネジ1iの先端と位置検出体ケース2の取り付けを外しまた固定ネジ1cを緩め、位置検出体調整治具1の取り外しができる。
【００１５】
また前記エレベータの位置検出装置において、複数の被検出体の位置を調整する動作、及び取り付け方法について説明する。
固定金具7b、及び固定ネジ7cにより被検出体調整治具7を固定腕9に備え付け、同時に被検出体8、並びに8'の上下二箇所それぞれに上下二本の調整ネジ7m、並びに7nの先端を取り付ける。取り付けネジ8aを緩めて被検出体8、並びに8'を仮固定の状態とし、被検出体用調整治具7のみで被検出体8及び8'を支持する。
ここで上下二本の調整ネジ7m並びに7nを回転させ、奥行き方向への移動をさせることによって、被検出体8、並びに8'の奥行き方向の位置について調整することができる。また二箇所の調整ネジをそれぞれ調整することにより横方向の傾きについても自在に調整することができる。
また上下二箇所の調整ネジ7iを回転させ、横方向への移動をさせることによって、従属して上下二個の摺動金具7j、及び7l、及び上下二本の調整ネジ7k、7m及び7nが横方向に移動し、被検出体8、及び8'の横方向の位置について調整をすることができる。また二箇所の調整ネジをそれぞれ調整することにより横方向の傾きについても自在に調整をすることができる。
また上下二箇所の調整ネジ7kを回転させ、横方向への移動をさせることによって、従属して上下二個の摺動金具7l、及び上下二本の調整ネジ7nが横方向に移動し、独立して被検出体8'の横方向の位置について調整をすることができる。また二箇所の調整ネジをそれぞれ調整することにより横方向の傾きについても自在に調整をすることができる。
また調整ネジ7dを回転させ、上下方向への移動をさせることによって、従属して摺動金具7e、連結した上下二本のレール7f、上下二個の摺動金具7j及び7l、及び上下二本の調整ネジ7m及び7nが上下方向に移動し、被検出体8、及び8'の上下方向の位置について調整をすることができる。
以上の動作により被検出体8、及び8'の位置決めを行い、終了後取り付けネジ8aを締付け、被検出体8、及び8'を本固定し位置調整を完了する。
また上下二本の調整ネジ7m、並びに7nの先端と被検出体8、並びに8'との取り付けを外し、また固定ネジ7cを緩め、被検出体調整治具7の取り外しができる。
【００１６】
このようなエレベータの位置検出装置及び、位置検出装置の取り付け方法が備わることにより、位置検出体、及び被検出体を仮固定の状態でお互いを対向させながら、その相互の隙間寸法の目視による位置調整が可能なだけでなく、相互の電気的結合の有無を確認しながらの位置調整が可能である。
【００１７】
また、従来では行われなかった、複数の位置検出体の位置調整が可能となり、エレベータの位置検出装置のより確実な位置調整が可能である。
【００１８】
また、従来の位置検出装置の取り付けで行われていた、位置検出体、及び被検出体を本固定する直前に位置調整をするという難しい作業が不要である。
【００１９】
また従来起こり易かった、位置検出体、被検出体を本固定する際の位置ずれを防ぐことができる。
【００２０】
位置検出体、被検出体の位置調整を、調整ネジの回転による移動で行うため、より精密な位置調整が容易にできる。
【００２１】
また調整治具は固定された状態で位置検出体、被検出体の調整を行うため、治具の落下等の事故を防げる。
【図面の簡単な説明】
【００２２】
【図１】この発明の実施の形態1における、エレベータの位置検出装置の平面図である。
【図２】図1を矢視Aから見た側面図である。
【図３】図1を矢視Bから見た側面図である。
【符号の説明】
【００２３】
1 位置検出体用調整治具、1a 位置検出体調整治具の主本体部、1b 固定金具、  
1c 固定ネジ、1d レール、1e 取り付け板、1f 調整ネジ、1g L字型摺動金具、
1h 通し穴 、1i 調整ネジ、2 位置検出体ケース、3 位置検出体、
4 コ字型ブラケット、5 L字型ブラケット、6 エレベータかご枠の上梁、
7 被検出体調整治具、7a 被検出体調整治具の主本体部、7b 固定金具、
7c 固定ネジ、 7d 調整ネジ、7e 摺動金具、7f レール、7g 通し穴、
7h取り付け板、7i 調整ネジ、7j コ字型摺動金具、7k 調整ネジ、
7l Ｌ字型摺動金具、7m 調整ネジ、7n 調整ネジ、8 被検出体、8' 被検出体、
8a 取り付けネジ、9 取り付け腕、10 ガイドレール、
11 レールクリップ、12 ボルトナット、
【図１】
2006321614.tif 000003
【図２】
2006321614.tif 000004
【図３】
2006321614.tif 000005